(57)【要約】【課題】新たなセンサを追加せず、従来から備えているセンサを利用して、室内温度、室外温度等を考慮しつつ、室外機及び／又は室内機の通風経路で目詰まりが起きたか否かを簡易かつ正確に判定することができる空気調和機を提供する。【解決手段】室外温度検出部２１が検出した室外温度が高すぎない場合に、室外熱交温度検出部２３が検出した室外熱交温度が高く、しかも、回転数検出部２４が検出した圧縮機の検出回転数が、室内温度検出部１１が検出した室内温度に基づいて算出される算出回転数よりも継続的に低いときに、室内制御部１０は、室外熱交換器４２に目詰まりを生じたと判定して、通信部１４を介し、室外熱交換器４２に目詰まりを生じたことを示す信号をリモコン３へ送信することによって、室外熱交換器４２の目詰まり発生を使用者に報知する。【選択図】図５
2008095969.tif 000002
【特許請求の範囲】
【請求項１】
室内温度を検出する第１温度検出部と、
通風経路に取り込んだ室外及び／又は室内の空気、並びに冷媒の熱交換を行なう室外熱交換器及び／又は室内熱交換器の温度を検出する第２温度検出部及び／又は第３温度検出部と、
前記冷媒を圧縮する圧縮機の回転数を検出する回転数検出部と、
前記第１温度検出部の検出結果に基づいて、前記圧縮機の回転数を算出する算出手段と、
該算出手段の算出結果に基づいて前記圧縮機の回転数を制御する制御手段と、
前記圧縮機の回転数を、前記第２温度検出部及び／又は前記第３温度検出部の検出結果に応じた最大回転数以下に制限する制限手段と
を備え、
冷房を行なう空気調和機において、
前記算出手段が算出した算出回転数と、前記回転数検出部が検出した検出回転数とに基づいて、前記通風経路で目詰まりを生じたか否かを判定する判定手段
を備えることを特徴とする空気調和機。
【請求項２】
前記通風経路は室外機に設けられており、
前記判定手段は、
前記回転数検出部が検出した検出回転数が、前記算出手段が算出した算出回転数よりも低い状態が所定時間以上継続した場合、
前記第２温度検出部の検出結果が所定室外熱交換器温度以上であるときに、
前記室外機の前記通風経路で目詰まりを生じたと判定するようにしてあることを特徴とする請求項１に記載の空気調和機。
【請求項３】
室外温度を検出する第４温度検出部を備え、
前記判定手段は、前記第４温度検出部の検出結果が所定室外温度以下である場合に、目詰まりを生じたか否かの判定を行なうようにしてあることを特徴とする請求項２に記載の空気調和機。
【請求項４】
前記通風経路は室内機に設けられており、
前記判定手段は、
前記回転数検出部が検出した検出回転数が、前記算出手段が算出した算出回転数よりも低い状態が所定時間以上継続した場合、
前記第３温度検出部の検出結果が所定室内熱交換器温度以下であるときに、
前記室内機の前記通風経路で目詰まりを生じたと判定するようにしてあることを特徴とする請求項１乃至３の何れかひとつに記載の空気調和機。
【請求項５】
外部と通信するための通信部と、
前記判定手段が、目詰まりを生じたと判定した場合に、前記通信部を介して、目詰まりを生じたことを外部に報知する報知手段と
を備えることを特徴とする請求項１乃至４の何れかひとつに記載の空気調和機。
【請求項６】
前記報知手段が目詰まりの報知を行なった場合に、前記圧縮機を含む各部を作動停止させる停止手段
を備えることを特徴とする請求項５に記載の空気調和機。
【請求項７】
目詰まりを生じた場合に各部を作動停止させるか否かの選択を予め受け付ける受付部を備え、
前記停止手段は、前記受付部が、各部を作動停止させるという選択を受け付けている場合に、各部を作動停止させるようにしてあることを特徴とする請求項１乃至６の何れかひとつに記載の空気調和機。
【発明の詳細な説明】
【技術分野】
【０００１】
本発明は、冷房を行なう空気調和機に関する。
【背景技術】
【０００２】
冷房を行なう空気調和機は、例えば、コンピュータルームにおける室内温度上昇防止用の設備エアコンとして用いられる。
まず、空気調和機は、圧縮機によって圧縮された高温かつ高圧の冷媒と、室外送風機によって室外機内部の通風経路（以下、室外通風経路という）に取り込んだ室外の空気とを室外熱交換器にて熱交換（冷媒を放熱）させ、これによって冷却された高圧の冷媒を、減圧器にて減圧することによって更に低温の冷媒となす。
【０００３】
次に、空気調和機は、減圧器によって減圧された低温かつ低圧の冷媒と、室内送風機によって室内機内部の通風経路（以下、室内通風経路という）に取り込んだ室内の空気とを室内熱交換器にて熱交換（冷媒に吸熱）させ、これによって加熱された低圧の冷媒を、圧縮機にて圧縮することによって更に高温の冷媒となす。
そして、圧縮機によって圧縮された高温かつ高圧の冷媒が、再び室外熱交換器にて室外の空気と熱交換される。
【０００４】
室内熱交換器にて、冷媒との熱交換によって放熱し冷却された室内の空気は、室内送風機によって室内へ送風される。このため、室内温度が低下する。
【０００５】
室外通風経路及び／又は室内通風経路で目詰まりを生じた（例えば室外熱交換器に設けられている複数のフィンの間で目詰まりが生じた、及び／又は室内フィルタが目詰まりを生じた）場合、室外及び／又は室内の空気と冷媒との熱交換が阻害されて、空気調和機の冷房能力が劣化するため、室内温度の低下又は維持に支障を来たす。
しかしながら、通風経路での目詰まりは外部からは認識し難く、特に、空気調和機の周辺に使用者が常時滞在していない場合は、使用者が通風経路での目詰まりに気づき難いため、空気調和機が通風経路での目詰まりを検知して、目詰まりの発生を使用者に報知することが望ましい。
【０００６】
例えば室内フィルタが目詰まりを生じると、室内フィルタを通過する空気の速度が低下する。
このことから、従来の空気調和機は、室内フィルタの近傍に風速計を取り付け、風速が初期値よりも所定程度低下した場合に、目詰まりであると判定する（特許文献１参照）。
【０００７】
また、室内フィルタの目詰まりによって室内フィルタを通過する空気量が減少すると、室内送風機の回転負荷が小さくなる。室内送風機のモータに与えるべき電流は、室内送風機の回転速度に基づいて算出されるため、室内フィルタの目詰まりによって、室内送風機のモータに与えるべき電流の通電電流値が減少する。
このことから、従来の他の空気調和機は、室内送風機の回転速度を検出する手段を備え、検出された回転速度に基づく通電電流値が基本電流値よりも所定程度低下した場合に、目詰まりであると判定する（特許文献２参照）。
【０００８】
更にまた、室内送風機の運転時間が長いほど、また、送風量が多いほど、室内フィルタの目詰まりは生じ易くなる。
このことから、従来の更に他の空気調和機は、室内送風機の運転積算時間と、室内送風機の送風量に基づく運転係数とを用いて目詰まり度を算出し、算出した目詰まり度が所定値以上である場合に、目詰まりであると判定する（特許文献３参照）。
【特許文献１】特開昭６３−１７３２７号公報
【特許文献２】特開平５−１５４３２３号公報
【特許文献３】特開２００１−１２０９３４号公報
【発明の開示】
【発明が解決しようとする課題】
【０００９】
しかしながら、一般的な空気調和機は、風速計を内蔵していないため、特許文献１に開示されている空気調和機を得るためには、一般的な空気調和機に対して新たに風速計を追加する必要がある。
また、一部の空気調和機（例えば廉価版機種）は、室内送風機の回転速度を検出する手段を備えていないため、特許文献２に開示されている空気調和機を得るためには、一部の空気調和機に対して新たに回転速度検出手段を追加する必要がある。
【００１０】
更に、特許文献３に開示されている空気調和機は、室内フィルタの目詰まりとは直接的に関係しない運転積算時間と送風量とを用いて目詰まり度を算出するため、室内フィルタの目詰まりが起きたか否かに関わらず、低い（又は高い）目詰まり度を算出して、室内フィルタの目詰まりが起きていない（又は起きた）と誤判定する可能性がある。
【００１１】
更にまた、通風経路での目詰まりは、室外通風経路と室内通風経路とで個別に発生する。
そして、室外温度が低い場合（夏季を除いた例えば冬季）では、室外通風経路で目詰まりを生じていても、室外熱交換器における冷媒の放熱効率が高く、このため、十分な冷房能力を発揮する場合も当然ある。
空気調和機が十分な冷房能力を有し、室内温度の低下又は維持に支障がない場合、室外通風経路の目詰まりを生じた部分（例えば室外熱交換器）を使用者にわざわざ清掃させることは、使用者の利便性を悪化させる。
【００１２】
しかしながら、特許文献１〜３に開示されている空気調和機は、目詰まりの判定に際し室内温度、室外温度等を考慮しておらず、また、特許文献１〜３には、室内フィルタ以外の部分（例えば室外熱交換器、室内熱交換器等）の目詰まりの検知に関する記述がない。
【００１３】
本発明は斯かる事情に鑑みてなされたものであり、その主たる目的は、室外熱交換器の温度及び／又は室内熱交換器の温度に応じて最大回転数が制限される圧縮機の回転数と、室内温度に基づいて算出された圧縮機の回転数とに基づいて、目詰まりを生じたか否かを判定する構成とすることにより、新たな検出手段を追加せず、従来から備えている検出手段を利用して、室内温度、室外温度等を考慮しつつ、室外通風経路及び／又は室内通風経路で目詰まりが起きたか否かを簡易かつ正確に判定することができる空気調和機を提供することにある。
【００１４】
本発明の他の目的は、検出された圧縮機の回転数が、算出された圧縮機の回転数よりも低い状態が所定時間以上継続した場合、室外熱交換器の温度が高いときに、室外通風経路で目詰まりを生じたと判定する構成とすることにより、室外通風経路での目詰まりとは無関係に一時的に圧縮機の回転数が変動している場合に、目詰まりが起きたと誤判定することを抑制することができる空気調和機を提供することにある。
【００１５】
本発明の他の目的は、室外温度が所定室外温度以下である場合に、目詰まりを生じたか否かの判定を行なう構成とすることにより、室外温度が高いため、室外通風経路での目詰まりとは無関係に圧縮機の回転数が変動している場合に、目詰まりが起きたと誤判定することを抑制することができる空気調和機を提供することにある。
【００１６】
本発明の他の目的は、検出された圧縮機の回転数が、算出された圧縮機の回転数よりも低い状態が所定時間以上継続した場合、室内熱交換器の温度が低いときに、室内通風経路で目詰まりを生じたと判定する構成とすることにより、室内通風経路での目詰まりとは無関係に一時的に圧縮機の回転数が変動している場合に、目詰まりが起きたと誤判定することを抑制することができる空気調和機を提供することにある。
【００１７】
本発明の他の目的は、目詰まりを生じた場合に、外部に報知する構成とすることにより、目詰まりを生じたか否かを使用者が確認する必要がない空気調和機を提供することにある。
【００１８】
本発明の他の目的は、目詰まりを生じた場合に、外部に報知し、かつ、各部を作動停止させる構成とすることにより、目詰まりを原因とする各部の故障を抑制することができる空気調和機を提供することにある。
【００１９】
本発明の更に他の目的は、目詰まりを生じた場合に、外部に報知し、かつ、各部を作動停止させるという選択を受け付けているときに、各部を作動停止させる構成とすることにより、各部の作動停止と作動継続とを、選択的に実行することができる空気調和機を提供することにある。
【課題を解決するための手段】
【００２０】
本発明に係る空気調和機は、室内温度を検出する第１温度検出部と、通風経路に取り込んだ室外及び／又は室内の空気、並びに冷媒の熱交換を行なう室外熱交換器及び／又は室内熱交換器の温度を検出する第２温度検出部及び／又は第３温度検出部と、前記冷媒を圧縮する圧縮機の回転数を検出する回転数検出部と、前記第１温度検出部の検出結果に基づいて、前記圧縮機の回転数を算出する算出手段と、該算出手段の算出結果に基づいて前記圧縮機の回転数を制御する制御手段と、前記圧縮機の回転数を、前記第２温度検出部及び／又は前記第３温度検出部の検出結果に応じた最大回転数以下に制限する制限手段とを備え、冷房を行なう空気調和機において、前記算出手段が算出した算出回転数と、前記回転数検出部が検出した検出回転数とに基づいて、前記通風経路で目詰まりを生じたか否かを判定する判定手段を備えることを特徴とする。
【００２１】
本発明に係る空気調和機は、前記通風経路は室外機に設けられており、前記判定手段は、前記回転数検出部が検出した検出回転数が、前記算出手段が算出した算出回転数よりも低い状態が所定時間以上継続した場合、前記第２温度検出部の検出結果が所定室外熱交換器温度以上であるときに、前記室外機の前記通風経路で目詰まりを生じたと判定するようにしてあることを特徴とする。
【００２２】
本発明に係る空気調和機は、室外温度を検出する第４温度検出部を備え、前記判定手段は、前記第４温度検出部の検出結果が所定室外温度以下である場合に、目詰まりを生じたか否かの判定を行なうようにしてあることを特徴とする。
【００２３】
本発明に係る空気調和機は、前記通風経路は室内機に設けられており、前記判定手段は、前記回転数検出部が検出した検出回転数が、前記算出手段が算出した算出回転数よりも低い状態が所定時間以上継続した場合、前記第３温度検出部の検出結果が所定室内熱交換器温度以下であるときに、前記室内機の前記通風経路で目詰まりを生じたと判定するようにしてあることを特徴とする。
【００２４】
本発明に係る空気調和機は、外部と通信するための通信部と、前記判定手段が、目詰まりを生じたと判定した場合に、前記通信部を介して、目詰まりを生じたことを外部に報知する報知手段とを備えることを特徴とする。
【００２５】
本発明に係る空気調和機は、前記報知手段が目詰まりの報知を行なった場合に、前記圧縮機を含む各部を作動停止させる停止手段を備えることを特徴とする。
【００２６】
本発明に係る空気調和機は、目詰まりを生じた場合に各部を作動停止させるか否かの選択を予め受け付ける受付部を備え、前記停止手段は、前記受付部が、各部を作動停止させるという選択を受け付けている場合に、各部を作動停止させるようにしてあることを特徴とする。
【００２７】
本発明にあっては、圧縮機の回転数を、室内温度を検出する第１温度検出部の検出結果に基づいて算出手段が算出し、算出手段が算出した算出回転数と、圧縮機の回転数を検出する回転数検出部が検出した検出回転数とに基づいて、通風経路で目詰まりを生じたか否かを判定手段が判定する。
【００２８】
空気調和機は、例えば室外送風機によって室外通風経路（即ち室外機に設けられている通風経路）に取り込んだ室外の空気及び冷媒の熱交換を行なう室外熱交換器と、室内送風機によって室内フィルタを介して室内通風経路（即ち室内機に設けられている通風経路）に取り込んだ室内の空気及び冷媒の熱交換を行なう室内熱交換器と、冷媒を圧縮する圧縮機とを備える。更に空気調和機は、第１温度検出部と、室外熱交換器の温度（以下、室外熱交温度という）を検出する第２温度検出部及び／又は室内熱交換器の温度（以下、室内熱交温度という）を検出する第３温度検出部と、回転数検出部とを備える。
【００２９】
そして空気調和機は、制御手段及び制限手段を備え、制御手段が、算出手段の算出結果に基づいて圧縮機の回転数を制御する。つまり、空気調和機は、冷房を行なうために、室内温度の高低に基づいて回転数の多寡を求め、求められた回転数で圧縮機を回転させることによって、室内温度を所要の室内温度まで低下させ、また、室内温度を所要の室内温度に維持する。
【００３０】
ただし、制限手段が、圧縮機の回転数を、第２温度検出部及び／又は第３温度検出部の検出結果に応じた最大回転数以下に制限する。つまり、室外熱交温度及び／又は室内熱交温度の高低に基づいて最大回転数を求め、求められた最大回転数を超過する回転数を算出手段が算出した場合でも、制御手段は、圧縮機の回転数を最大回転数以下にさせる。
【００３１】
そして、空気調和機は、従来の空気調和機が一般的に備えている第１温度検出部と、第２温度検出部及び／又は第３温度検出部と、回転数検出部とを用いて、室外通風経路及び／又は室内通風経路で目詰まりを生じたか否かを判定する。
【００３２】
圧縮機の回転数は、検出された室内温度に基づいて算出され、また、検出された室外熱交温度及び／又は室内熱交温度に基づいて制限される。
ここで、室外熱交温度は、室外通風経路で目詰まりしている場合に高くなり、同様に、室内熱交温度は、室内通風経路で目詰まりしている場合に低くなる。また、室外熱交温度の高低は室外温度の高低にも依存し、室内熱交温度の高低は室内温度の高低にも依存する。更に、室内温度が高い（又は低い）場合は、算出手段が算出する圧縮機の回転数は多く（又は少なく）なる。
【００３３】
つまり、本発明の空気調和機は、回転数検出部が検出した圧縮機の回転数（即ち実際の回転数）と算出手段が算出した圧縮機の回転数の回転数（即ち実際の室内温度に応じた目標回転数）とに基づいて目詰まりが起きたか否かを判定することによって、室内温度、室外温度等を考慮した上で、目詰まりが起きたか否かを適切に判定する。
【００３４】
本発明にあっては、圧縮機の実際の回転数が継続的に低く（即ち、回転数検出部が検出した検出回転数が、算出手段が算出した算出回転数よりも低い状態が所定時間以上継続した場合）、室外熱交温度が高い（即ち、第２温度検出部の検出結果が所定室外熱交換器温度以上である）ときに、判定手段が、室外通風経路で目詰まりを生じたと判定する。
【００３５】
検出回転数の一時的な低下、又は算出回転数の一時的な上昇は、室外通風経路での目詰まりに無関係な変動である。このため、回転数検出部が検出した検出回転数が、算出手段が算出した算出回転数よりも低い状態が所定時間未満しか継続していない場合には、目詰まりを生じたと判定しない。
【００３６】
ところで、室外通風経路で目詰まりを生じ、かつ、室外温度が高い場合は、室外熱交温度が過度に高くなる。
室外熱交温度が過度に高い場合は、室外熱交換器内部の冷媒の気圧が、高温によって安全気圧を超過することがある。このような不具合を抑制するためには、圧縮機の回転数を低下させて冷媒の気圧を下げる必要がある。このため、制御手段は、室外熱交温度の高さに応じて圧縮機の最大回転数を引き下げ、この結果、圧縮機の回転数は最大回転数を超過しなくなる。
ただし、圧縮機の回転数を低下させると、冷媒の温度も下がるため、室外熱交換器における熱交換（冷媒の放熱）の効率が低下し、冷房能力が低くなる。
【００３７】
一方、第１温度検出部の検出結果が、使用者が所望する室内温度以上であるとき、即ち室内温度が高いときは、室内温度を低下させるために、圧縮機の回転数を上昇させる必要があり、算出手段が算出する算出回転数は高くなる。ここで、圧縮機の回転数を上昇させると、冷媒が圧縮されて室外熱交換器における冷媒の温度が上がり、熱交換（冷媒の放熱）の効率が上昇し、冷房能力が高くなる。
【００３８】
このような場合、算出回転数が最大回転数より大きいことがある。ところが、圧縮機の回転数は最大回転数を超過しないため、検出回転数は算出回転数より低くなる。
つまり、検出回転数は算出回転数より低い状態が所定時間以上継続しており、しかも室外熱交温度が高い場合には、室外通風経路で目詰まりを生じていると判断される。
【００３９】
ただし、室外通風経路で目詰まりを生じていても、室外温度が低い場合は、第２温度検出部の検出結果が、所定室外熱交換器温度未満となるため、判定手段は、目詰まりであると判定しない。また、室外通風経路で目詰まりを生じていても、室内温度が低いときは、圧縮機の回転数を上昇させる必要がなく、圧縮機の回転数が最大回転数を超過しないため、判定手段は、目詰まりであると判定しない。
しかしながら、以上のような場合の空気調和機は、十分な冷房能力を発揮するため、室外通風経路での目詰まりを放置しても問題はない。
【００４０】
本発明にあっては、室外温度が高すぎない（即ち、第４温度検出部の検出結果が所定室外温度以下である）場合に、判定手段が、目詰まりを生じたか否かを判定する。
室外温度を検出する第４温度検出部は、従来の空気調和機が一般的に備えているため、新たに追加する必要がない。
【００４１】
ところで、室外通風経路で目詰まりを生じていなくても、室外温度が高すぎる場合は、室外熱交温度が過度に高くなる。このため、室外温度が高すぎる場合、即ち第４温度検出部の検出結果が所定室外温度超過である場合には、判定手段による判定を行なわないことによって、誤判定が抑制され、また、判定手段の判定処理能力（例えばＣＰＵの演算処理能力）を無駄に浪費することが抑制される。
【００４２】
本発明にあっては、圧縮機の実際の回転数が継続的に低く（即ち、回転数検出部が検出した検出回転数が、算出手段が算出した算出回転数よりも低い状態が所定時間以上継続した場合）、室内熱交温度が低い（即ち、第３温度検出部の検出結果が所定室内熱交換器温度以下である）ときに、判定手段が、室内通風経路で目詰まりを生じたと判定する。
【００４３】
検出回転数の一時的な低下、又は算出回転数の一時的な上昇は、室内通風経路での目詰まりに無関係な変動である。このため、回転数検出部が検出した検出回転数が、算出手段が算出した算出回転数よりも低い状態が所定時間未満しか継続していない場合には、目詰まりを生じたと判定しない。
【００４４】
ところで、室内通風経路で目詰まりが起きている場合は、室内熱交温度が過度に低くなる。
室内熱交温度が過度に低い場合は、室内熱交換器内部の冷媒が凍結することがある。このような不具合を抑制するためには、圧縮機の回転数を低下させて室内熱交換器における熱交換（冷媒の放熱）の効率を低下させ、これによって冷媒の温度を上げる必要がある。このため、制御手段は、室内熱交温度の低さに応じて圧縮機の最大回転数を引き下げ、この結果、圧縮機の回転数は最大回転数を超過しなくなる。
【００４５】
一方、第１温度検出部の検出結果が、使用者が所望する室内温度以上であるとき、即ち室内温度が高いときは、室内温度を低下させるために、圧縮機の回転数を上昇させる必要があり、算出手段が算出する算出回転数は高くなる。ここで、圧縮機の回転数を上昇させると、冷媒が圧縮されて室外熱交換器における冷媒の温度が上がり、熱交換（冷媒の放熱）の効率が上昇する。
【００４６】
このような場合、算出回転数が最大回転数より大きいことがある。ところが、圧縮機の回転数は最大回転数を超過しないため、検出回転数は算出回転数より低くなる。
つまり、検出回転数は算出回転数より低い状態が所定時間以上継続しており、しかも室内熱交温度が低い場合には、室内通風経路で目詰まりを生じていると判断される。
【００４７】
室内通風経路で目詰まりを生じていても、室内温度が低いときは、圧縮機の回転数を上昇させる必要がなく、圧縮機の回転数が最大回転数を超過しないため、判定手段は、目詰まりであると判定しない。
しかしながら、このような場合の空気調和機は、十分な冷房能力を発揮するため、室内通風経路で目詰まりを放置しても問題はない。
【００４８】
本発明にあっては、判定手段が、目詰まりを生じたと判定した場合に、報知手段が、外部と通信するための通信部を介して、目詰まりを生じたことを外部に報知する。このような通信部として、一般的な空気調和機が備える通信部を利用可能である。
【００４９】
目詰まりを生じたことを報知すべき外部とは、例えば、空気調和機のリモートコントローラである。目詰まりを生じたことを報知されたリモートコントローラは、自身の表示部を用いて、空気調和機の通風経路で目詰まりを生じたことを意味する文字、記号等を表示するか、又は、自身の音声発生部を用いて、空気調和機の通風経路で目詰まりを生じたことを意味する音声を出力する。
この場合、使用者は、リモートコントローラに表示された表示内容、又は出力された音声を知覚することによって、使用者自身が通風経路の状態（例えば室外通風経路に配されている室外熱交換器の状態、又は、室内通風経路に配されている室内フィルタ及び室内熱交換器の状態）を確認することなく、通風経路で目詰まりを生じたか否かを把握する。
【００５０】
本発明にあっては、判定手段が、目詰まりを生じたと判定した場合に、報知手段が、外部と通信するための通信部を介して、目詰まりを生じたことを外部に報知し、停止手段が、圧縮機を含む各部を作動停止させる。
【００５１】
例えば、室内フィルタが目詰まりを生じた場合、室内フィルタを介する通風量が低下するため、室内熱交換器近傍の空気が過度に冷却されて、空気調和機内部に露、霜等を生じることがある。このように発生した露、霜等は、空気調和機、室内等を不要に濡らすことがあり、また、送風機を凍結させて回転を阻害することもある。
【００５２】
このような不具合を抑制するために、通風経路で目詰まりが生じた場合は空気調和機が運転を停止するようにしてある。
空気調和機が運転を停止すれば、室内温度は上昇するが、通風経路での目詰まりは使用者に対して報知されているため、使用者が適宜に対処することによって、空気調和機の運転が再開し、室内温度の上昇が抑制される。
【００５３】
本発明にあっては、受付部が、目詰まりを生じた場合に各部を作動停止させるか否かの選択を予め受け付ける。この選択は、使用者が行ない、受付部に入力する。
判定手段が、目詰まりを生じたと判定した場合に、報知手段が、外部と通信するための通信部を介して、目詰まりを生じたことを外部に報知する。
【００５４】
更に、受付部が、各部を作動停止させるという選択を受け付けている場合に、停止手段が、圧縮機を含む各部を作動停止させる。つまり、空気調和機が運転を停止する。
一方、受付部が、各部を作動停止させるという選択を受け付けていない場合は、停止手段が、圧縮機を含む各部を作動停止させない。つまり、空気調和機は運転を継続する。
【００５５】
通風経路での目詰まりが生じた場合、空気調和機が運転を停止すれば、室内温度は上昇し、空気調和機が運転を継続すれば、空気調和機に不具合が生じることがある。このため、使用者は、室内温度の上昇抑制を優先する場合は空気調和機に運転を継続させ、空気調和機の不具合抑制を優先する場合は空気調和機に運転を停止させる。
何れにせよ、通風経路での目詰まりは使用者に対して報知されているため、使用者による早急な対処が可能となる。
【発明の効果】
【００５６】
本発明の空気調和機による場合、風速計、送風機の回転速度検出手段等の新たな検出手段を追加せず、従来から備えている各種検出部（即ち第１温度検出部、回転数検出部等）を利用して、目詰まりが起きたか否かを判定することができる。このため、空気調和機は、安価な構成で、目詰まりが起きたか否かを簡易に判定することができる。
【００５７】
また、空気調和機は、室内温度、室外温度等を考慮しつつ、目詰まりが起きたか否かを正確に判定することができる。このため、室内温度の低下又は維持に支障がない場合には、目詰まりは起きていないと判定することができる。即ち、使用者に対して目詰まりが起きたと不要に報知されることが抑制され、また、室内温度の低下又は維持に支障があるときに、使用者に対して目詰まりが起きたと的確に報知することができる。
この結果、使用者は、目詰まりが起きた室外通風経路内部及び／又は室内通風経路内部を好適なタイミングで清掃することができる。即ち、使用者の利便性を向上させることができる。
【００５８】
本発明の空気調和機による場合、圧縮機の実際の回転数が継続的に低く、室外熱交温度が高いときに、室外通風経路で目詰まりを生じたと判定する。このため、室外通風経路での目詰まりとは無関係に圧縮機の回転数が一時的に低下している場合に、目詰まりが起きたと誤判定することを抑制することができる。即ち、判定の精度を向上させることができる。
また、室外通風経路及び／又は室内通風経路の何れに目詰まりを生じたかを、室外熱交温度を用いて簡易に判定することができる。
【００５９】
本発明の空気調和機による場合、圧縮機の実際の回転数が継続的に低く、室外熱交温度が高すぎないときに、室外通風経路で目詰まりを生じたと判定する。このため、目詰まりとは無関係に、室外温度が高すぎて圧縮機の回転数が低下している場合に、目詰まりが起きたと誤判定することを抑制することができる。即ち、判定の精度を向上させることができる。
また、室外温度が所定室外温度超過である場合は判定そのものを行なわないため、無駄な演算、判定等をする必要がない。
【００６０】
本発明の空気調和機による場合、圧縮機の実際の回転数が継続的に低く、室内熱交温度が低いときに、室内通風経路で目詰まりを生じたと判定する。このため、室内通風経路での目詰まりとは無関係に圧縮機の回転数が一時的に低下している場合に、目詰まりが起きたと誤判定することを抑制することができる。即ち、判定の精度を向上させることができる。
また、室外通風経路及び／又は室内通風経路の何れに目詰まりを生じたかを、室外熱交温度を用いて簡易に判定することができる。
【００６１】
本発明の空気調和機による場合、目詰まりを生じたことを外部に報知する。このとき、目詰まりを生じたことを使用者が把握し、目詰まりを生じた室外通風経路内部及び／又は室内通風経路内部を適宜に清掃することができる。このため、例えば室外通風経路に配されている室外熱交換器、又は、室内通風経路に配されている室内フィルタ及び室内熱交換器を使用者が点検して、目詰まりを生じているか否かを判断する必要がない。この結果、使用者の利便性を向上させることができる。
【００６２】
本発明の空気調和機による場合、目詰まりを生じた場合に、圧縮機を含む各部を作動停止させるため、例えば作動を継続させることによる露、霜等の発生、及び、発生した露、霜等が各部に付着することによる故障の発生を抑制することができる。
しかも、目詰まりを生じたことを外部に報知するため、目詰まりを生じたことを報知された使用者が、目詰まりを生じた室外通風経路内部及び／又は室内通風経路内部を適宜に清掃してから、空気調和機の運転を再開させることができる。このため、冷房すべき室内の室内温度が過度に上昇することを抑制することができる。
【００６３】
本発明の空気調和機による場合、使用者の事情（例えば使用者が目詰まりを生じた室外通風経路内部及び／又は室内通風経路内部を即座に清掃することができるか否か）に応じて、使用者が予め圧縮機を含む各部の作動停止又は作動継続を選択することができ、目詰まりを生じた場合に、使用者の選択に従って、各部を作動停止させるか作動継続させることができる。
また、作動停止又は作動継続に関わらず、目詰まりを生じたことを外部に報知するため、目詰まりを生じたことを報知された使用者は、自身の都合に合わせて適宜に空気調和機をメンテナンスすることができる。
【００６４】
この結果、使用者の利便性を向上させつつ、例えば作動を継続させることによる露、霜等の発生、及び、発生した露、霜等が各部に付着することによる故障の発生を抑制することができ、しかも、冷房すべき室内の室内温度が過度に上昇することを抑制することができる。
【発明を実施するための最良の形態】
【００６５】
以下、本発明を、その実施の形態を示す図面に基づいて詳述する。
【００６６】
実施の形態  １．
図１は、本発明の実施の形態１に係る空気調和機５が備える室内機１の外観を示す斜視図であり、図２は、室内機１の要部構成を示す模式的な側断面図である。
図３は、空気調和機５が備える室外機２の外観を示す斜視図であり、図４は、室外機２の要部構成を示す斜視図である。
図５は、空気調和機５の要部構成を示すブロック図である。
【００６７】
空気調和機５は冷房機能を有し、室内温度が過度に上昇することを抑制する必要がある部屋（例えばコンピュータルーム）に対して用いられる。
このような空気調和機５は、室内の壁面に設置されている室内機１と、室外の地面に設置されている室外機２とを備え、室内機１と室外機２とにわたって、冷房（又は暖房）のために冷媒が循環する熱交換サイクル部４を有する。
【００６８】
図５に示す空気調和機５のリモートコントローラ（以下、リモコンという）３は、空気調和機５とは別体に設けられ、図示しない表示部と操作部とを有する。使用者は、リモコン３の操作部を操作することによって空気調和機５に運転を開始させ、又は運転を停止させ、あるいは室内温度を設定する。また、使用者は、リモコン３の表示部に表示されている内容を読み取って、空気調和機５の作動状態を把握する。
【００６９】
操作部を操作されたリモコン３は、使用者の操作に応じた信号（運転開始又は停止を指示する信号、室内温度の上昇又は下降を指示する信号等）を空気調和機５へ送信する。
また、空気調和機５から送信された信号（現在の室内温度を報知する室温信号、室外通風経路内部の目詰まりを報知する室外目詰まり報知信号等）を受信したリモコン３は、受信した信号に対応する表示内容（現在の室内温度を表す数字、室外通風経路の目詰まりを表す記号等）を表示部に表示させる。
【００７０】
図１、図２及び図５に示すように、室内機１は、室内制御部１０、室内温度検出部（第１温度検出部）１１、室内フィルタ１２、室内熱交温度検出部（第３温度検出部）１３、通信部１４、メモリ１５、タイマ１６、室内送風機１７、ルーバー１８，１８、及び熱交換サイクル部４の室内熱交換器４４を備える。
一方、図３〜図５に示すように、室外機２は、室外制御部２０、室外温度検出部（第４温度検出部）２１、室外熱交温度検出部（第２温度検出部）２３、回転数検出部２４、室外送風機２７、並びに熱交換サイクル部４の圧縮機４１、室外熱交換器４２、減圧器４３、及び四方切換弁４５を備える。
【００７１】
まず、熱交換サイクル部４について、主に図５を用いて説明する。
四方切換弁４５（図４参照）は、熱交換サイクル部４における冷媒の循環方向を切り換えるために用いられる。
冷房を行なう場合、熱交換サイクル部４内では、冷媒が、圧縮機４１、四方切換弁４５、室外熱交換器４２、減圧器４３、室内熱交換器４４、四方切換弁４５、圧縮機４１の順に循環する。
四方切換弁４５を切り換えて冷媒の循環方向を逆にした場合は暖房が行なわれる。以下では冷房について説明する。
【００７２】
室外機２にあっては、室外熱交換器４２において室外の空気（以下、外気という）と冷媒との熱交換を促進すべく、室外送風機２７が用いられる。室外機２内部には通風経路（即ち室外通風経路）が設けてあり、この室外通風経路の上流側から下流側へ順に、室外温度検出部２１、室外熱交換器４２、及び室外送風機２７が配されており、室外送風機２７が作動することによって外気が吸入され、吸入された外気は室外熱交換器４２と接触してから排出される。室外熱交換器４２には、外気との接触面積を増大させるための複数のフィンが設けてある。
【００７３】
室外温度検出部２１は、外気の温度（即ち室外温度）を検出する。
また、室外熱交換器４２の温度（即ち室外熱交温度）を検出すべく、室外熱交換器４２には室外熱交温度検出部２３が配されている。
室外温度検出部２１、室外熱交温度検出部２３及び回転数検出部２４夫々の検出結果は、室外制御部２０へ出力され、更に、これらの検出結果は、室外制御部２０を介して室内制御部１０に入力される。
【００７４】
一方、室内機１にあっては、室内熱交換器４４において室内の空気（以下、被処理空気という）と冷媒との熱交換を促進すべく、室内送風機１７が用いられる（図２参照）。室内機１内部には通風経路（即ち室内通風経路）が設けてあり、この室内通風経路の上流側から下流側へ順に、室内フィルタ１２、室内温度検出部１１、室内熱交換器４４、及び室内送風機１７が配されており、室内送風機１７が作動することによって、室内フィルタ１２を介して被処理空気が吸入され、吸入された被処理空気は室内熱交換器４４と接触してから、上下２枚のルーバー１８，１８によって風向を規定されて排出される。室内熱交換器４４には、外気との接触面積を増大させるための複数のフィンが設けてある。
【００７５】
室内温度検出部１１は、被処理空気の温度（即ち室内温度）を検出する。
また、室内熱交換器４４の温度（即ち室内熱交温度）を検出すべく、室内熱交換器４４には室内熱交温度検出部１３が配されている。
室内温度検出部１１及び室内熱交温度検出部１３夫々の検出結果は、室内制御部１０へ出力される。
【００７６】
圧縮機４１（図４参照）はコンプレッサを用いてなり、冷媒を圧縮して高温かつ高圧の冷媒となす。圧縮機４１は、回転数が高いほど冷媒を圧縮する圧縮力が大きくなり、圧縮力が大きいほど、室外熱交換器４２における冷媒がより高温かつ高圧となり、熱交換（冷媒の放熱）効率が向上する。このため、室内熱交換器４４における冷媒がより低温となり、熱交換（冷媒の吸熱）効率が向上する。
逆に、圧縮力が小さい場合は、室外熱交換器４２における冷媒の温度及び圧力が低下し、熱交換（冷媒の放熱）効率が低下する。このため、室内熱交換器４４における冷媒の温度が上昇し、熱交換（冷媒の吸熱）効率が低下する。
【００７７】
圧縮機４１には、圧縮機４１の回転数を検出するために、回転数検出部２４が配されている。
減圧器４３は、膨張弁又はキャピラリーチューブを用いてなる。
室外熱交換器４２は冷媒を凝縮させる凝縮器として作用し、室内熱交換器４４は、冷媒を蒸発させる蒸発器として作用する。
【００７８】
熱交換サイクル部４の冷媒は、まず、圧縮機４１によって圧縮されて高温かつ高圧の冷媒となり、室外送風機２７によって吸入された外気と室外熱交換器４２にて熱交換することによって放熱し凝縮する。外気との熱交換によって冷却された高圧の冷媒は、減圧器４３にて減圧されて更に低温かつ低圧の冷媒となる。
室外熱交換器４２における冷媒との熱交換によって吸熱してなる高温の外気は、室外へ排出される。
【００７９】
次に、減圧器４３によって減圧された低温かつ低圧の冷媒は、室内送風機１７によって室内フィルタ１２を介して吸入された被処理空気と室内熱交換器４４にて熱交換することによって吸熱し蒸発する。被処理空気との熱交換によって加熱された低圧の冷媒は、圧縮機４１にて圧縮されて更に高温かつ高圧の冷媒となる。
室内熱交換器４４における冷媒との熱交換によって放熱してなる低温の被処理空気は、室内へ排出される。このため、室内が冷却される。
【００８０】
そして、圧縮機４１によって圧縮された高温かつ高圧の冷媒が、再び室外熱交換器４２にて外気と熱交換する。
【００８１】
次に、空気調和機５の制御に関して説明する。
図５に示す室内制御部１０は空気調和機５の主制御部であり、バス、信号線等を介して、室外機２の室外制御部２０と、室内機１の所定の各部とに夫々接続されている。
また、室外制御部２０は、バス、信号線等を介して、室内機１の室内制御部１０の他、室外機２の所定の各部に夫々接続されている。
【００８２】
メモリ１５は、例えばデータの読み書きが可能なフラッシュメモリを用いてなり、室内制御部１０は、メモリ１５に書き込まれている制御プログラム及びデータに従って空気調和機５の各部を制御する。
メモリ１５には、冷房時のデフォルトの室内温度が書き込まれており、リモコン３によって設定された室内温度が適宜に書き込まれる。
【００８３】
通信部１４は、例えば赤外線を用いてリモコン３と通信を行なうようにしてあり、室内制御部１０は、リモコン３から送信された信号を、通信部１４を介して受信し、受信した信号に応じて空気調和機５の各部を制御する。また、室内制御部１０は、リモコン３へ送信すべき信号を、通信部１４を介して送信する。
【００８４】
更に、室内制御部１０は、室内温度検出部１１、室内熱交温度検出部１３、室外温度検出部２１、及び室外熱交温度検出部２３夫々の検出結果に基づいて空気調和機５の各部を制御する。
ここで、室内温度検出部１１、室内熱交温度検出部１３、室外温度検出部２１、及び室外熱交温度検出部２３は、従来から一般的な空気調和機が備えている各種のセンサである。
【００８５】
室内制御部１０は、室内送風機１７に対して室内送風機１７の回転数を指示することによって室内送風機１７を制御する。
また、室内制御部１０は、四方切換弁４５の切り換えを指示する信号、減圧器４３の出力を指示する信号、並びに室外送風機２７及び圧縮機４１夫々の回転数を示す信号を室外制御部２０に与える。
四方切換弁４５の切り換えを指示する信号、減圧器４３の出力を指示する信号、及び室外送風機２７の回転数を示す信号夫々を与えられた室外制御部２０は、与えられた信号に従って、四方切換弁４５、減圧器４３、及び室外送風機２７夫々を制御する。
【００８６】
ところで、圧縮機４１は、回転数“０”（即ち圧縮機４１の作動停止状態）から圧縮機４１が最大能力を発揮する回転数まで１０段階に変更が可能なように構成されている。以下では、圧縮機４１の作動停止状態を１段階目の回転数とし、圧縮機４１が最大能力を発揮する回転数を１０段階目の回転数とする。
室内制御部１０は、室内温度検出部１１及び室外温度検出部２１の各検出結果と、メモリ１５に記憶された室内温度（デフォルトの室内温度、又はリモコン３を介して使用者が設定した室内温度。以下、設定温度という）とに基づいて、圧縮機４１の回転数を算出する。
【００８７】
例えば、室外温度検出部２１の検出結果（即ち室外温度）が３５℃であり、設定温度が２６℃である場合、室内温度検出部１１の検出結果（即ち室内温度）が２６℃になるまで、室内制御部１０は、４段階目の回転数で圧縮機４１が作動するよう回転数指示信号を室外制御部２０へ出力する。
【００８８】
この場合、室内制御部１０は、４段階目の回転数を示す回転数指示信号を室外制御部２０へ出力してからの経過時間をタイマ１６を用いて計時し、所定の経過時間を超過しても室内温度が２６℃まで低下しないときは、５段階目の回転数で圧縮機４１が作動するよう回転数指示信号を室外制御部２０へ出力する。
同様に、室内制御部１０は、５段階目の回転数を示す回転数指示信号を室外制御部２０へ出力してからの経過時間をタイマ１６を用いて計時し、所定の経過時間を超過しても室内温度が２６℃まで低下しないときは、圧縮機４１の回転数の段階を１段階ずつ上昇させていく。
【００８９】
室内温度が２６℃以下である場合、冷えすぎを防止するために、室内制御部１０は、３段階目以下の回転数で圧縮機４１が作動するよう回転数指示信号を室外制御部２０へ出力する。
【００９０】
一方、室外制御部２０は、室外熱交温度検出部２３の検出結果（即ち室外熱交温度）に基づいて、圧縮機４１の最大回転数を制限する。
室外熱交温度が６０℃を超えた場合、室外熱交換器４２内で冷媒の圧力が安全圧力を超過する不具合が生じる。このような不具合を抑制するために、室外制御部２０は、室外熱交温度が、所定室外熱交換器温度（以下では、所定室外熱交温度という。具体的には５０℃）未満である場合は、圧縮機４１の最大回転数を圧縮機４１が最大能力を発揮する１０段階目の回転数とするが、室外熱交温度が５０℃以上である場合は、最大回転数を４段階目の回転数に制限する。そして、室外熱交温度が安全な温度にまで低下したときに、最大回転数を１０段階目の回転数に戻す。
【００９１】
このような室外制御部２０は、室内制御部１０から入力された回転数指示信号が示す回転数が、最大回転数以下である場合は、室内制御部１０から入力された回転数指示信号に応じて、圧縮機４１を制御する。即ち、室内制御部１０が算出した回転数で、圧縮機４１が作動する。
【００９２】
ただし、室内制御部１０から入力された回転数指示信号が示す回転数が、最大回転数超過である場合は、室内制御部１０から入力された回転数指示信号を無視して、圧縮機４１を制御する。即ち、室内制御部１０が算出した回転数よりも低い回転数、具体的には室外制御部２０が制限している最大回転数で、圧縮機４１が作動する。このため、室外熱交換器４２における冷媒の温度及び圧力が低下し、安全圧力を超過することが抑制される。
【００９３】
次に、室外通風経路での目詰まりの検知方法について説明する。
室外通風経路では、主に、室外熱交換器４２が目詰まりを生じる（具体的には、室外熱交換器４２に設けられているフィンとフィンとの間で目詰まりを生じる）。室外熱交換器４２が目詰まりを生じた場合、室外熱交換器４２を通過する外気の量が低下するため、室外熱交換器４２近傍の空気の温度が上昇し、このため、室外熱交温度が５５℃以上にも達する。
このとき、室外熱交温度が５０℃以上であるため、室外制御部２０は、圧縮機４１の最大回転数を４段階目の回転数に制限する。
【００９４】
圧縮機４１が４段階目以下の回転数でしか作動しないため、空気調和機５の冷房能力が低下し、室内温度が設定温度を超過することがある。
室内温度が設定温度を超過した状態が所定の時間以上継続する場合、室内制御部１０は、圧縮機４１の回転数を上昇させるように回転数指示信号を室外制御部２０へ出力し、場合によっては、回転数指示信号が示す回転数が、室外制御部２０が制限している最大回転数を超過する。
【００９５】
そこで、室内制御部１０は、室内制御部１０自身が算出した回転数と、圧縮機４１の実際の回転数である回転数検出部２４の検出結果とを比較し、圧縮機４１の実際の回転数が、室内制御部１０自身が算出した回転数よりも低い場合に、室外熱交換器４２が目詰まりを生じていると判定する。
ただし、室内制御部１０自身が算出した回転数及び回転数検出部２４の検出結果夫々の一時的な変動の影響を受けて、室外熱交換器４２が目詰まりを生じていると誤判定することを回避するために、圧縮機４１の実際の回転数が、室内制御部１０自身が算出した回転数よりも低い状態が所定時間以上継続した場合に、室外熱交換器４２が目詰まりを生じていると判定する。
【００９６】
室外熱交換器４２が目詰まりを生じていると判定した場合、室内制御部１０は、通信部１４を介して、室外目詰まり報知信号をリモコン３へ出力する。室外目詰まり報知信号を受信したリモコン３は、リモコン３の表示部に、室外熱交換器４２の目詰まりを表す記号を表示させるため、この記号を視認した使用者が、室外熱交換器４２に目詰まりが起きたことを知る。
【００９７】
ところで、室外熱交温度の上昇は、室外熱交換器４２の目詰まりだけに起因するのではなく、室外温度が非常に高い場合にも室外熱交温度が５０℃以上に達することがある。このため、室内制御部１０は、室外温度検出部２１の検出結果が、適宜の所定室外温度（具体的には３８℃）を超過している場合は、室外熱交換器４２が目詰まりを起こしているか否かの判定を行なわず、室外温度検出部２１の検出結果が、適宜の所定室外温度以下である場合に、この判定を行なう。
【００９８】
逆に、室外熱交換器４２が目詰まりを生じていても、室外熱交温度が５０℃未満であって室外制御部２０が圧縮機４１の最大回転数を１０段階目の回転数となしているか、又は、室内温度が設定温度以下に保たれており室内制御部１０が回転数を５段階以上に上昇させないならば、圧縮機４１の実際の回転数は、室内制御部１０自身が算出した回転数以上となり、室外熱交換器４２が目詰まりを生じていると判定されることはない。
【００９９】
しかしながら、室外熱交温度が５０℃未満の場合は、圧縮機４１の最大回転数が４段階目までに制限されておらず、空気調和機５に十分な冷房能力がある状態である。また、室内温度が設定温度以下に保たれている場合は、空気調和機５の冷房能力が十分に発揮されている状態である。即ち、室外熱交換器４２の目詰まりを早急に解消する必要はない。
【０１００】
つまり、室外熱交換器４２の目詰まりによって空気調和機５の冷房能力が劣化している場合に、室内制御部１０が室外熱交換器４２の目詰まりを検知し、使用者に報知する。このことによって、使用者の利便性が向上される。
逆に、空気調和機５の冷房能力が十分であるのに室外熱交換器４２の目詰まりを使用者に報知して室外熱交換器４２の清掃を促すことは、使用者の利便性を悪化させる。
【０１０１】
図６は、室内機１が備える室内制御部１０が実行する冷房処理の手順を示すフローチャートである。
室内制御部１０は、通信部１４を介して、設定温度を上下させる信号を受信したか否かを判定し（Ｓ１１）、受信した場合は（Ｓ１１でＹＥＳ）、受信した信号に応じて、新たな設定温度をメモリ１５に記憶させる（Ｓ１２）。
設定温度を上下させる信号を受信していない場合（Ｓ１１でＮＯ）、室内制御部１０は、設定温度をメモリ１５に記憶されている設定温度のまま変更しない。
【０１０２】
Ｓ１１でＮＯの場合、又はＳ１２の処理の完了後、室内制御部１０は、室内温度検出部１１の検出結果を読み取り（Ｓ１３）、読み取った検出結果、即ち検出室内温度が、メモリ１５に記憶されている設定温度以下であるか否かを判定する（Ｓ１４）。
【０１０３】
検出室内温度が設定温度を超過している場合（Ｓ１４でＮＯ）、室内制御部１０は、圧縮機４１の回転数を算出する（Ｓ１５）。Ｓ１５における回転数の算出は、検出室内温度と設定温度との差、室外温度等に基づいて求められるが、一般に、前回Ｓ１５又は後述するＳ１７の処理で求めた回転数又は１段階目の回転数（即ち回転数“０”）よりも１段階以上大きな段階の回転数が求められる。
【０１０４】
検出室内温度が設定温度以下である場合（Ｓ１４でＹＥＳ）、室内制御部１０は、検出室内温度と設定温度とが略等しいか否かを判定し（Ｓ１６）、検出室内温度と設定温度とが略等しい場合は（Ｓ１６でＹＥＳ）、後述するＳ１９へ処理を移す。
検出室内温度が設定温度よりも低すぎる場合（Ｓ１６でＮＯ）、室内制御部１０は、圧縮機４１の回転数を算出する（Ｓ１７）。Ｓ１７における回転数の算出は、検出室内温度と設定温度との差、室外温度等に基づいて求められるが、一般に、前回Ｓ１５又はＳ１７の処理で求めた回転数よりも１段階以上小さな段階の回転数が求められる。
【０１０５】
Ｓ１５又はＳ１７の処理の完了後、室内制御部１０は、Ｓ１５又はＳ１７で算出した回転数を示す回転数指示信号を室外制御部２０へ出力する（Ｓ１８）。
最後に、室内制御部１０は、後述する室外目詰まり判定処理を行なうサブルーチン（図８参照）を呼び出し、実行する（Ｓ１９）。
Ｓ１９の処理完了後、室内制御部１０は、処理をＳ１１へ戻す。
【０１０６】
図７は、室外機２が備える室外制御部２０が実行する圧縮機制御処理の手順を示すフローチャートである。
室外制御部２０は、室内制御部１０から回転数指示信号が入力（Ｓ１８参照）されたか否かを判定し（Ｓ３１）、入力されていない場合は（Ｓ３１でＮＯ）、処理を後述するＳ３４へ移す。
【０１０７】
室内制御部１０から回転数指示信号が入力された場合（Ｓ３１でＹＥＳ）、室外制御部２０は、回転数指示信号が示す回転数、即ち室内制御部１０が指示する指示回転数が、圧縮機４１の最大回転数（デフォルトの１０段階目の回転数、又は後述するＳ３７でセットされた４段階目の回転数、あるいはＳ４１でリセットされた１０段階目の回転数）以下であるか否かを判定する（Ｓ３２）。
【０１０８】
指示回転数が最大回転数以下である場合（Ｓ３２でＹＥＳ）、室外制御部２０は、指示回転数で回転するよう圧縮機４１を制御し（Ｓ３３）、処理をＳ３４へ移す。
Ｓ３３の処理によって、圧縮機４１は、室内制御部１０が指示した回転数（即ちＳ１５又はＳ１７で算出した回転数）で作動する。
一方、指示回転数が最大回転数を超過している場合は（Ｓ３２でＮＯ）、室外制御部２０は、処理をＳ３４へ移す。即ち、室外制御部２０は、室内制御部１０が指示した回転数を無視する。
【０１０９】
そして、室外制御部２０は、室外熱交温度検出部２３の検出結果を読み取り（Ｓ３４）、読み取った検出結果、即ち検出された室外熱交温度が、所定室外熱交温度（具体的には５０℃）以上であるか否かを判定する（Ｓ３５）。
【０１１０】
検出された室外熱交温度が、所定室外熱交温度以上である場合（Ｓ３５でＹＥＳ）、室外制御部２０は、１０段階目よりも低い段階の回転数（具体的には４段階目）を最大回転数として算出し（Ｓ３６）、新たな最大回転数としてセットする（Ｓ３７）。なお、Ｓ３６における回転数の算出は、４段階目に固定してもよく、例えば室外熱交温度と所定室外熱交温度との差に基づいて、４段階目以外の適宜の段階を求めてもよい。
【０１１１】
Ｓ３７の処理完了後、室外制御部２０は、回転数検出部２４の検出結果を読み取り（Ｓ３８）、読み取った検出結果、即ち圧縮機４１の検出回転数が、Ｓ３７でセットした最大回転数以下であるか否かを判定する（Ｓ３９）。
検出回転数が最大回転数を超過している場合（Ｓ３９でＮＯ）、室外制御部２０は、Ｓ３７でセットした最大回転数で回転するよう圧縮機４１を制御し（Ｓ４０）、処理をＳ３１へ戻す。
検出回転数が最大回転数以下である場合（Ｓ３９でＹＥＳ）、室外制御部２０は、Ｓ４０の処理を行なわずに、処理をＳ３１へ戻す。
【０１１２】
一方、検出された室外熱交温度が、所定室外熱交温度以下である場合（Ｓ３５でＮＯ）、室外制御部２０は、最大回転数を１０段階目の回転数にリセットし（Ｓ４１）、処理をＳ３１へ戻す。
【０１１３】
図８は、室内機１が備える室内制御部１０が実行する室外目詰まり判定処理手順のサブルーチンを示すフローチャートである。
室内制御部１０は、室外温度検出部２１の検出結果を読み取り（Ｓ５１）、読み取った検出結果、即ち検出室外温度が、所定室外温度（具体的には３８℃）以下であるか否かを判定し（Ｓ５２）、検出室外温度が所定室外温度を超過している場合は（Ｓ５２でＮＯ）、室外目詰まり判定処理を終了して、処理をメインルーチンへ戻す。
【０１１４】
検出室外温度が所定室外温度以下である場合（Ｓ５２でＹＥＳ）、室内制御部１０は、回転数検出部２４の検出結果を読み取り（Ｓ５３）、読み取った検出結果、即ち圧縮機４１の検出回転数が、Ｓ１５又はＳ１７で室内制御部１０自身が算出した算出回転数より低いか否かを判定する（Ｓ５４）。
【０１１５】
検出回転数が算出回転数より低い場合（Ｓ５４でＹＥＳ）、室内制御部１０は、タイマ１６による計時が実行されていることを示すタイマフラグが“１”にセットされているか否かを判定し（Ｓ５５）、セットされていない場合は（Ｓ５５でＮＯ）、タイマフラグを“１”にセットして（Ｓ５６）、タイマ１６による計時を開始する（Ｓ５７）。Ｓ５７の処理完了後、室内制御部１０は、室外目詰まり判定処理を終了して、処理をメインルーチンへ戻す。
【０１１６】
検出回転数が算出回転数以上である場合（Ｓ５４でＮＯ）、室内制御部１０は、タイマフラグを“０”にリセットし（Ｓ５８）、タイマ１６における計時を終了し（Ｓ５９）、室外目詰まり判定処理を終了して、処理をメインルーチンへ戻す。
【０１１７】
タイマフラグが“１”にセットされている場合は（Ｓ５５でＹＥＳ）、室内制御部１０は、タイマ１６の計時結果に基づき、Ｓ５７で計時を開始してから所定時間が経過したか否か、即ち検出回転数が算出回転数より低い状態が所定時間以上継続したか否かを判定する（Ｓ６０）。
【０１１８】
所定時間が経過していない場合（Ｓ６０でＮＯ）、室内制御部１０は、室外目詰まり判定処理を終了して、処理をメインルーチンへ戻す。
所定時間が経過した場合（Ｓ６０でＹＥＳ）、室内制御部１０は、タイマフラグを“０”にリセットし（Ｓ６１）、タイマ１６における計時を終了する（Ｓ６２）。Ｓ６０でＹＥＳ、即ち検出回転数が算出回転数より低い状態が所定時間以上継続したため、室内制御部１０は、室外目詰まり報知信号をリモコン３へ送信する（Ｓ６３）。Ｓ６３の処理完了後、室内制御部１０は、室外目詰まり判定処理を終了して、処理をメインルーチンへ戻す。
【０１１９】
以上のような冷房処理、圧縮機制御処理、及び室外目詰まり判定処理において、空気調和機５は、室内温度を検出する第１温度検出部としての室内温度検出部１１と、室外通風経路に取り込んだ室外の空気及び冷媒の熱交換を行なう室外熱交換器４２の温度を検出する第２温度検出部としての室外熱交温度検出部２３と、室内フィルタ１２を介して取り込んだ室内の空気及び前記冷媒の熱交換を行なう室内熱交換器４４の温度を検出する第３温度検出部としての室内熱交温度検出部１３と、前記冷媒を圧縮する圧縮機４１の回転数を検出する回転数検出部２４と、室外温度を検出する第４温度検出部としての室外温度検出部２１と、外部と通信するための通信部１４とを備える。
【０１２０】
また、Ｓ１５及びＳ１７における室内制御部１０は、室内温度検出部１１の検出結果に基づいて、圧縮機４１の回転数を算出する算出手段として機能する。
Ｓ１８における室内制御部１０及びＳ３３における室外制御部２０は、算出手段の算出結果に基づいて圧縮機４１の回転数を制御する制御手段として機能する。
Ｓ３５〜Ｓ４０における室外制御部２０は、圧縮機４１の回転数を、室外熱交温度検出部２３の検出結果に応じた最大回転数以下に制限する制限手段として機能する。
【０１２１】
Ｓ５１〜Ｓ６２における室内制御部１０は、算出手段が算出した算出回転数と、回転数検出部２４が検出した検出回転数とに基づいて、室外通風経路で目詰まりを生じたか否かを判定する判定手段として機能する。
【０１２２】
この判定手段は、回転数検出部２４が検出した検出回転数が、算出手段が算出した算出回転数よりも低い状態が所定時間以上継続した場合（Ｓ６０でＹＥＳの場合）、室外熱交温度検出部２３の検出結果が所定室外熱交温度（具体的には５０℃）以上であるとき（Ｓ３５でＹＥＳであるとき）に、室外機２の通風経路で目詰まりを生じたと判定するようにしてある。一方、室外熱交温度検出部２３の検出結果が所定室外熱交温度未満であるとき（Ｓ３５でＮＯであるとき）は、最大回転数が４段階目の回転数に制限されないため、判定手段は室外機２の通風経路で目詰まりを生じたと判定しない。
【０１２３】
更に、この判定手段は、室外温度検出部２１の検出結果が所定室外温度（具体的には３８℃）以下である場合（Ｓ５２でＹＥＳである場合）に、目詰まりを生じたか否かの判定（Ｓ６０の処理）を行なうようにしてある。
そして、Ｓ６３における室内制御部１０は、判定手段が、目詰まりを生じたと判定した場合（Ｓ６０でＹＥＳの場合）に、通信部１４を介して、目詰まりを生じたことを外部（具体的にはリモコン３）に報知する報知手段として機能する。
【０１２４】
以上のような空気調和機５は、従来から備えている各種のセンサを利用して、室内温度、室外温度等を考慮しつつ、室外機２の室外通風経路で目詰まりが起きたか否かを簡易かつ正確に判定することが可能となる。
【０１２５】
実施の形態  ２．
実施の形態１の空気調和機５は室外熱交換器４２の目詰まりを検知したが、本実施の形態の空気調和機５は室内フィルタ１２の目詰まりを検知する。
図９は、本発明の実施の形態２に係る空気調和機５の要部構成を示すブロック図である。
本実施の形態の空気調和機５は、実施の形態１の空気調和機５と略同様の構成であるが、室内機１内部に配されている室内温度検出部１１を備えず、代わりに、室内機１外部に配されている室内温度検出部（第１温度検出部）１９を備える。
【０１２６】
室内温度検出部１１は、室内熱交換器４４の室内熱交温度の影響を受けて、実際の室内温度よりも低い室内温度を検出する可能性がある。このため、室内温度検出部１９は、室内機１外部に配されることによって、より正確な室内温度を検出する。
室内温度検出部１９を備える空気調和機５は、例えば無人のコンピュータルームに対して用いられる。
【０１２７】
また、室内温度検出部１９及び室内熱交温度検出部１３夫々の検出結果は、室内制御部１０へ出力されるのみならず、室内制御部１０を介して室外制御部２０に入力される。
【０１２８】
更に、室外制御部２０は、室外熱交温度検出部２３の検出結果ではなく、室内熱交温度検出部１３（即ち室内熱交温度）に基づいて、圧縮機４１の最大回転数を制限する。
【０１２９】
室内熱交温度が０℃以下である場合、室内熱交換器４４周辺で結露した水分が凍結する不具合が生じる。このような不具合を抑制するために、室外制御部２０は、室内熱交温度が、所定室内熱交換器温度（以下では、所定室内熱交温度という。例えば５℃）超過である場合は、圧縮機４１の最大回転数を圧縮機４１が最大能力を発揮する１０段階目の回転数とするが、室内熱交温度が所定室内熱交温度以下である場合は、最大回転数を４段階目の回転数に制限する。そして、室内熱交温度が安全な温度にまで上昇したときに、最大回転数を１０段階目の回転数に戻す。
【０１３０】
このような室外制御部２０は、室内制御部１０から入力された回転数指示信号が示す回転数が、最大回転数超過である場合は、室内制御部１０から入力された回転数指示信号を無視して、圧縮機４１を制御する。即ち、室内制御部１０が算出した回転数よりも低い回転数、具体的には室外制御部２０が制限している最大回転数で、圧縮機４１が作動する。このため、室内熱交換器４４における冷媒の温度が上昇し、室内熱交温度が０℃以下となることが抑制される。
【０１３１】
次に、室内通風経路での目詰まりの検知方法について説明する。
室内通風経路では、主に、室内フィルタ１２が目詰まりを生じる。室内熱交換器４４も目詰まりを生じることはあるが、室内フィルタ１２の目詰まりを検知する方法と同様の方法で目詰まりを検知することが可能であるため、以下では室内フィルタ１２の目詰まりを例示する。
室内フィルタ１２が目詰まりを生じた場合、室内フィルタ１２を介して吸入され排出される外気の量が低下するため、室内熱交換器４４近傍の空気の温度が低下し、このため、室内熱交温度が０℃以下にも達する。
室内熱交温度が所定室内熱交温度以下であるため、室外制御部２０は、圧縮機４１の最大回転数を４段階目の回転数に制限する。
【０１３２】
圧縮機４１が４段階目以下の回転数でしか作動しないため、空気調和機５の冷房能力が低下し、室内温度が設定温度を超過することがある。
室内温度が設定温度を超過した状態が所定の時間以上継続する場合、室内制御部１０は、圧縮機４１の回転数を上昇させるように回転数指示信号を室外制御部２０へ出力し、場合によっては、回転数指示信号が示す回転数が、室外制御部２０が制限している最大回転数を超過する。
【０１３３】
そこで、室内制御部１０は、室内制御部１０自身が算出した回転数と、圧縮機４１の実際の回転数である回転数検出部２４の検出結果とを比較し、圧縮機４１の実際の回転数が、室内制御部１０自身が算出した回転数よりも低い場合に、室内フィルタ１２が目詰まりを生じていると判定する。
ただし、室内制御部１０自身が算出した回転数及び回転数検出部２４の検出結果夫々の一時的な変動の影響を受けて、室内フィルタ１２が目詰まりを生じていると誤判定することを回避するために、圧縮機４１の実際の回転数が、室内制御部１０自身が算出した回転数よりも低い状態が所定時間以上継続した場合に、室内フィルタ１２が目詰まりを生じていると判定する。
【０１３４】
室内フィルタ１２が目詰まりを生じていると判定した場合、室内制御部１０は、通信部１４を介して、室内目詰まり報知信号をリモコン３へ出力する。室内目詰まり報知信号を受信したリモコン３は、リモコン３の表示部に、室内フィルタ１２の目詰まりを表す記号を表示させるため、この記号を視認した使用者が、室内フィルタ１２に目詰まりが起きたことを知る。
【０１３５】
ところで、室内フィルタ１２が目詰まりを生じていても、室内熱交温度が所定室内熱交温度超過であって室外制御部２０が圧縮機４１の最大回転数を１０段階目の回転数となしているか、又は、室内温度が設定温度以下に保たれており室内制御部１０が回転数を５段階以上に上昇させないならば、圧縮機４１の実際の回転数は、室内制御部１０自身が算出した回転数以上となり、室内フィルタ１２が目詰まりを生じていると判定されることはない。
【０１３６】
しかしながら、室内熱交温度が所定室内熱交温度以上の場合は、圧縮機４１の最大回転数が４段階目までに制限されておらず、空気調和機５に十分な冷房能力がある状態である。また、室内温度が設定温度以下に保たれている場合は、空気調和機５の冷房能力が十分に発揮されている状態である。即ち、室内フィルタ１２の目詰まりを早急に解消する必要はない。
【０１３７】
つまり、室内フィルタ１２の目詰まりによって空気調和機５の冷房能力が劣化している場合に、室内制御部１０が室内フィルタ１２の目詰まりを検知し、使用者に報知する。このことによって、使用者の利便性が向上される。
逆に、空気調和機５の冷房能力が十分であるのに室内フィルタ１２の目詰まりを使用者に報知して室内フィルタ１２の清掃を促すことは、使用者の利便性を悪化させる。
【０１３８】
その他、実施の形態１に対応する部分には同一符号を付してそれらの説明を省略する。
【０１３９】
図１０は、室内機１が備える室内制御部１０が実行する室内目詰まり判定処理手順のサブルーチンを示すフローチャートである。
ここで、室内制御部１０がこのサブルーチンを呼び出すメインルーチンとしての冷房処理は、実施の形態１の室内制御部１０が実行する冷房処理（図６参照）と略同様である。ただし、室内制御部１０は、Ｓ１９において、室外目詰まり判定処理の代わりに、本実施の形態の室内目詰まり判定処理を実行する。
【０１４０】
また、室外制御部２０が実行する圧縮機制御処理は、実施の形態１の室外制御部２０が実行する圧縮機制御処理（図７参照）と略同様である。ただし、室外制御部２０は、Ｓ３４において、室外熱交温度検出部２３の検出結果を読み取る代わりに、室内熱交温度検出部１３の検出結果を読み取り、Ｓ３５において、読み取った検出結果、即ち検出された室内熱交温度が、所定室内熱交温度以下であるか否かを判定する。そして、室内熱交温度が所定室内熱交温度以下である場合（Ｓ３５でＹＥＳの場合）、室外制御部２０はＳ３６以降の処理を実行し、室内熱交温度が所定室内熱交温度超過である場合（Ｓ３５でＮＯの場合）、室外制御部２０はＳ４１以降の処理を実行する。
【０１４１】
ここで、図１０に示す室内目詰まり判定処理に関し、Ｓ７１〜Ｓ８０の処理は、実施の形態１の室内目詰まり判定処理におけるＳ５３〜Ｓ６１の処理と略同様である。
【０１４２】
Ｓ８０の処理完了後、Ｓ７８でＹＥＳ、即ち検出回転数が算出回転数より低い状態が所定時間以上継続したため、室内制御部１０は、室内目詰まり報知信号をリモコン３へ送信する（Ｓ８１）。室内目詰まり報知信号を受信したリモコン３は、リモコン３の表示部に、室内フィルタ１２の目詰まりを表す記号を表示させるため、この記号を視認した使用者が、室内フィルタ１２に目詰まりが起きたことを知る。
【０１４３】
Ｓ８１の処理完了後、室内制御部１０は、空気調和機５の運転を停止する（Ｓ８２）。具体的には、室内制御部１０は、室内送風機１７の作動を停止させ、また、圧縮機４１及び室外送風機２７夫々の作動の停止を指示する信号を室外制御部２０へ出力する。この信号を受け付けた室外制御部２０は、圧縮機４１及び室外送風機２７夫々の作動を停止させる。
Ｓ８２の処理完了後、室内制御部１０は、室内目詰まり判定処理を終了して、処理をメインルーチンへ戻す。
【０１４４】
以上のような冷房処理、圧縮機制御処理、及び室内目詰まり判定処理に関し、Ｓ３５〜Ｓ４０における室外制御部２０は、圧縮機４１の回転数を、室内熱交温度検出部１３の検出結果に応じた最大回転数以下に制限する制限手段として機能する。
【０１４５】
Ｓ７１〜Ｓ８０における室内制御部１０は、算出手段が算出した算出回転数と、回転数検出部２４が検出した検出回転数とに基づいて、室内通風経路で目詰まりを生じたか否かを判定する判定手段として機能する。
【０１４６】
この判定手段は、回転数検出部２４が検出した検出回転数が、算出手段が算出した算出回転数よりも低い状態が所定時間以上継続した場合、室内熱交温度検出部１３の検出結果が所定室内熱交温度以下であるときに、室内機１の通風経路で目詰まりを生じたと判定するようにしてある。一方、室内熱交温度検出部１３の検出結果が所定室内熱交温度未満であるときは、最大回転数が４段階目の回転数に制限されないため、判定手段は室内機１の通風経路で目詰まりを生じたと判定しない。
【０１４７】
そして、Ｓ８１における室内制御部１０は、判定手段が、目詰まりを生じたと判定した場合に、通信部１４を介して、目詰まりを生じたことを外部（具体的にはリモコン３）に報知する報知手段として機能する。
更に、Ｓ８２における室内制御部１０は、報知手段が目詰まりの報知を行なった場合（Ｓ８１の処理を行なった場合）に、圧縮機４１を含む各部を作動停止させる停止手段として機能する。
【０１４８】
以上のような空気調和機５は、従来から備えている各種のセンサを利用して、室内温度、室外温度等を考慮しつつ、室内機１の室内通風経路で目詰まりが起きたか否かを簡易かつ正確に判定することが可能となる。
しかも、室内フィルタ１２に目詰まりが起きた場合に空気調和機５の運転を停止させることによって、室内フィルタ１２の目詰まりを起因とする空気調和機５各部の過熱、過冷却、故障等が抑制されるため、空気調和機５の安全性が向上される。
更に、室内フィルタ１２の目詰まりは使用者に報知されるため、使用者は速やかに室内フィルタ１２を清掃して空気調和機５を再度運転させる。
【０１４９】
実施の形態  ３．
実施の形態１及び実施の形態２夫々の空気調和機５は、室外熱交換器４２及び室内フィルタ１２夫々の目詰まりを検知し、室内フィルタ１２及び室外熱交換器４２夫々の目詰まりは検知しないが、本実施の形態の空気調和機５は室内フィルタ１２及び室外熱交換器４２両方の目詰まりを検知する。
本実施の形態の空気調和機５の構成は、実施の形態２の空気調和機５の構成と同様であるため、実施の形態１，２に対応する部分には同一符号を付してそれらの説明を省略する。
【０１５０】
本実施の形態の空気調和機５に関し、使用者は、室内フィルタ１２及び／又は室外熱交換器４２に目詰まりを生じた場合に、空気調和機５の運転を停止させるか、継続するかを選択し、選択結果を、リモコン３を用いて空気調和機５に設定する。この場合、使用者は、例えば空気調和機５のメンテナンスを即座に行なうことができる昼間は、空気調和機５の運転が停止するようにし、翌日までメンテナンスを行なうことができない夜間は、運転が継続するようにする。
リモコン３は、使用者の選択に応じた信号（空気調和機５の運転停止を選択する信号、又は空気調和機５の運転継続を選択する信号）を空気調和機５へ送信する。
【０１５１】
室内制御部１０は、通信部１４を介して、使用者の選択に応じた信号を受信し、受信した信号に応じた選択情報をメモリ１５に記憶させる。
つまり、室内制御部１０及び通信部１４は、目詰まりを生じた場合に各部を作動停止させるか否かの選択を予め受け付ける受付部として機能する。
【０１５２】
また、室内制御部１０が実行する冷房処理は、実施の形態１の室内制御部１０が実行する冷房処理（図６参照）と略同様である。ただし、室内制御部１０は、Ｓ１９において、室外目詰まり判定処理の代わりに、本実施の形態の目詰まり判定処理（後述する図１３参照）を実行する。
【０１５３】
図１１及び図１２は、室外機２が備える室外制御部２０が実行する圧縮機制御処理の手順を示すフローチャートである。
本実施の形態の圧縮機制御処理に関し、Ｓ９１〜Ｓ９５の処理は、実施の形態１の圧縮機制御処理（図７参照）におけるＳ３１〜Ｓ３５の処理と略同様である。また、Ｓ１０１〜Ｓ１０５の処理は、実施の形態１の圧縮機制御処理におけるＳ３６〜Ｓ４０の処理と略同様である。更に、Ｓ９８の処理は、実施の形態１の圧縮機制御処理におけるＳ４１の処理と略同様である。
【０１５４】
Ｓ９５でＹＥＳの場合、室外制御部２０ははＳ１０１以降の処理を実行し、Ｓ９５でＮＯの場合は、室内熱交温度検出部１３の検出結果を読み取り（Ｓ９６）、読み取った検出結果、即ち検出された室内熱交温度が、所定室内熱交温度以下であるか否かを判定する（Ｓ９７）。
そして、室内熱交温度が所定室内熱交温度以下である場合（Ｓ９７でＹＥＳ）、室外制御部２０はＳ１０１以降の処理を実行し、室内熱交温度が所定室内熱交温度超過である場合（Ｓ９７でＮＯ）、室外制御部２０はＳ９８以降の処理を実行する。
【０１５５】
つまり、室外熱交温度が所定室外熱交温度以上であるか、又は室内熱交温度が所定室内熱交温度以下である場合（Ｓ９５でＹＥＳの場合、又はＳ９７でＹＥＳの場合）、室外制御部２０は圧縮機４１の最大回転数を４段階目までに制限する。一方、室外熱交温度が所定室外熱交温度未満であり、かつ室内熱交温度が所定室内熱交温度超過である場合（Ｓ９５でＮＯの場合、かつＳ９７でＮＯの場合）、室外制御部２０は圧縮機４１の最大回転数を１０段階目に引き上げる。
【０１５６】
図１３は、室内機１が備える室内制御部１０が実行する目詰まり判定処理手順のサブルーチンを示すフローチャートである。
室内制御部１０は、室外熱交温度検出部２３の検出結果を読み取り（Ｓ１１１）、読み取った検出結果、即ち検出された室外熱交温度が、所定室外熱交温度以上であるか否かを判定し（Ｓ１１２）、室外熱交温度が所定室外熱交温度以上である場合は（Ｓ１１２でＹＥＳ）、実施の形態１の室外目詰まり判定処理サブルーチン（図８参照）を呼び出し、実行する（Ｓ１１３）。
【０１５７】
Ｓ１１３の処理完了後、又は、室外熱交温度が所定室外熱交温度未満である場合（Ｓ１１２でＮＯ）、室内制御部１０は、室内熱交温度検出部１３の検出結果を読み取り（Ｓ１１４）、読み取った検出結果、即ち検出された室内熱交温度が、所定室内熱交温度以下であるか否かを判定する（Ｓ１１５）。
【０１５８】
室内熱交温度が所定室内熱交温度以下である場合（Ｓ１１５でＹＥＳ）、室内制御部１０は、実施の形態２の室内目詰まり判定処理サブルーチン（図１０参照）を呼び出し、実行する（Ｓ１１６）。
ただし、Ｓ１１６において、室内目詰まり判定処理のＳ８２は実行されない。
【０１５９】
Ｓ１１６の処理完了後、又は、室内熱交温度が所定室内熱交温度超過である場合（Ｓ１１５でＮＯ）、室内制御部１０は、室外機２の通風経路又は室内機１の通風経路で目詰まりを生じたか否かを判定する（Ｓ１１７）。具体的には、室内制御部１０は、例えばＳ１１３の処理及びＳ１１６の処理の実行時に、Ｓ６３の処理及びＳ８１の処理の内、少なくとも一方を実行したか否かを判定する。
室外機２の通風経路又は室内機１の通風経路で目詰まりを生じた場合、即ち室外熱交換器４２又は室内フィルタ１２が目詰まりを生じた場合（Ｓ１１７でＹＥＳ）、室内制御部１０は、メモリ１５を参照して、空気調和機５の運転停止を選択する信号に応じた選択情報が記憶されているか否か、即ち、空気調和機５の運転の停止という選択を受け付けているか否かを判定する（Ｓ１１８）。
【０１６０】
空気調和機５の運転の停止を受け付けている場合（Ｓ１１８でＹＥＳ）、実施の形態２の室内目詰まり判定処理のＳ８２と同様に、室内制御部１０は、空気調和機５の運転を停止する（Ｓ１１９）。
空気調和機５の運転の継続を受け付けている場合（Ｓ１１８でＮＯ）、又は室外機２の通風経路又は室内機１の両方で目詰まりを生じていない場合（Ｓ１１７でＮＯ）、あるいはＳ１１９の処理完了後、室内制御部１０は、目詰まり判定処理を終了して、処理をメインルーチンへ戻す。
【０１６１】
以上のような空気調和機５は、従来から備えている各種のセンサを利用して、室内温度、室外温度等を考慮しつつ、室内フィルタ１２及び／又は室外熱交換器４２に目詰まりが起きたか否かを簡易かつ正確に判定することが可能となる。
【０１６２】
しかも、室内フィルタ１２及び／又は室外熱交換器４２に目詰まりが起きた場合に、使用者の選択に応じて空気調和機５の運転を停止させることによって、室内フィルタ１２及び／又は室外熱交換器４２の目詰まりを起因とする空気調和機５各部の過熱、過冷却、故障等が抑制されるため、空気調和機５の安全性が向上される。
同様に、室内フィルタ１２及び／又は室外熱交換器４２に目詰まりが起きた場合に、使用者の選択に応じて空気調和機５の運転を継続させることによって、室内温度が過剰に上昇することが抑制される。
【０１６３】
室内フィルタ１２及び／又は室外熱交換器４２の目詰まりは使用者に報知されるため、使用者は速やかに、又は適宜のタイミングで室内フィルタ１２及び／又は室外熱交換器４２を清掃して空気調和機５を再度運転させる。
なお、実施の形態１〜３の室外機２に、室外熱交換器４２の目詰まりを抑制するために、取り込んだ外気を濾過するフィルタを設けてもよい。
【図面の簡単な説明】
【０１６４】
【図１】本発明の実施の形態１に係る空気調和機が備える室内機の外観を示す斜視図である。
【図２】本発明の実施の形態１に係る空気調和機が備える室内機の要部構成を示す模式的な側断面図である。
【図３】本発明の実施の形態１に係る空気調和機が備える室外機の外観を示す斜視図である。
【図４】本発明の実施の形態１に係る空気調和機が備える室外機の要部構成を示す斜視図である。
【図５】本発明の実施の形態１に係る空気調和機の要部構成を示すブロック図である。
【図６】本発明の実施の形態１に係る空気調和機の室内機が備える室内制御部が実行する冷房処理の手順を示すフローチャートである。
【図７】本発明の実施の形態１に係る空気調和機の室外機が備える室外制御部が実行する圧縮機制御処理の手順を示すフローチャートである。
【図８】本発明の実施の形態１に係る空気調和機の室内機が備える室内制御部が実行する室外目詰まり判定処理手順のサブルーチンを示すフローチャートである。
【図９】本発明の実施の形態２に係る空気調和機の要部構成を示すブロック図である。
【図１０】本発明の実施の形態２に係る空気調和機の室内機が備える室内制御部が実行する室内目詰まり判定処理手順のサブルーチンを示すフローチャートである。
【図１１】本発明の実施の形態３に係る空気調和機の室外機が備える室外制御部が実行する圧縮機制御処理の手順を示すフローチャートである。
【図１２】本発明の実施の形態３に係る空気調和機の室外機が備える室外制御部が実行する圧縮機制御処理の手順を示すフローチャートである。
【図１３】本発明の実施の形態３に係る空気調和機の室内機が備える室内制御部が実行する目詰まり判定処理手順のサブルーチンを示すフローチャートである。
【符号の説明】
【０１６５】
１    室内機
１０  室内制御部
１１，１９  室内温度検出部（第１温度検出部）
１２  室内フィルタ
１３  室内熱交温度検出部（第３温度検出部）
１４  通信部（受付部）
２    室外機
２０  室外制御部
２１  室外温度検出部（第４温度検出部）
２３  室外熱交温度検出部（第２温度検出部）
２４  回転数検出部
４１  圧縮機
４２  室外熱交換器
４４  室内熱交換器
５    空気調和機
【図１】
2008095969.tif 000003
【図２】
2008095969.tif 000004
【図３】
2008095969.tif 000005
【図４】
2008095969.tif 000006
【図５】
2008095969.tif 000007
【図６】
2008095969.tif 000008
【図７】
2008095969.tif 000009
【図８】
2008095969.tif 000010
【図９】
2008095969.tif 000011
【図１０】
2008095969.tif 000012
【図１１】
2008095969.tif 000013
【図１２】
2008095969.tif 000014
【図１３】
2008095969.tif 000015